(57)【要約】      （修正有）【課題】従来の下駄や草履の意匠や装飾は固定的で変化に乏しかった。そこで、ファッション性に優れ、強くアピールすることができるとともに、その日の気分や着物に応じた多様な着用を可能とした下駄又は草履の和装用履物を提供する。【解決手段】足を載せる台１に開けた孔に鼻緒３を通して形成される下駄又は草履の和装用履物において、台１の周壁に任意の数の装飾品７、８を装着するようにデザインし、装飾品７、８を着脱自在且つ取替自在としたことを特徴とする。【選択図】図４
0003165227.tif 000002
【実用新案登録請求の範囲】
【請求項１】
足を載せる台１に開けた孔に鼻緒３を通して形成される下駄又は草履の和装用履物において、
台１の周壁１ａに任意の数の装飾品７、８、９を装着するようにデザインし、装飾品７、８、９を着脱自在且つ取替自在としたことを特徴とした下駄又は草履の和装用履物。
【請求項２】
装飾品７、８、９の着脱手段として雌雄一対のホック５、６を用い、その一方を周壁１ａに埋設し、他方を装飾品７、８、９の背面に取り付けた請求項１に記載の下駄又は草履の和装用履物。
【請求項３】
請求項１又は２に記載の下駄又は草履の和装用履物に装着する装飾品。
【請求項４】
コサージュである請求項３に記載の装飾品。
【考案の詳細な説明】
【技術分野】
【０００１】
この考案は、和装に着用する下駄又は草履及びその装飾品に関するものである。
【背景技術】
【０００２】
日本の伝統的な和装用履物として下駄と草履がある。下駄は、足を載せる木製の台の底面に接地用の歯を設け、台に３個開けた孔に鼻緒を通して形成される。草履は、厚みのある小判形に形成したコルクやウレタンの芯材を、革、布、ビニール等の表皮材で覆って足を載せる台を形成し、台の底面が接地を兼ね、同じく台に開けた孔に鼻緒を通して形成される。草履は下駄よりフォーマルであり、婦人用下駄では、台を草履型に形成した舟形下駄や右近下駄と称されるものもあり、これらの下駄は歯を持たず、形状は草履と酷似して素材が異なるのみである。
【０００３】
一方、従来の下駄や草履の意匠や装飾としては、台の表面に模様を施したり、鼻緒を特殊な素材で形成したりする手段が用いられている（特許文献１参照）。しかし、これらの装飾は、使い尽くされた手段であるからアピール度は弱く、その装飾も固定的で変化に乏しく、着物に合わせて何足かの下駄や草履を揃えなければならなかった。
【先行技術文献】
【特許文献】
【０００４】
【特許文献１】特開２００４−２６７４５７号公報
【考案の概要】
【考案が解決しようとする課題】
【０００５】
この考案は、装飾性、ファッション性に優れ、強くアピールすることができるとともに、その日の気分や着物に応じた多様な着用を可能とした下駄又は草履の和装用履物、及びこの和装用履物に装着する専用の装飾品を提案することを目的とするものである。
【課題を解決するための手段】
【０００６】
上記の目的を達成するため、この考案は、足を載せる台１に開けた孔に鼻緒３を通して形成される下駄又は草履の和装用履物において、台１の周壁１ａに任意の数の装飾品７、８、９を装着するようにデザインし、装飾品７、８、９を着脱自在且つ取替自在としたことを特徴とするものである。
【０００７】
また、装飾品７、８、９の着脱手段として雌雄一対のホック５、６を用い、その一方を周壁１ａに埋設し、他方を装飾品７、８、９の背面に取り付けるものである。
【０００８】
また、この考案の装飾品は、上記の下駄又は草履の和装用履物に装着するための専用の装飾品であり、特に花をモチーフとしたコサージュが適用するものである。
【考案の効果】
【０００９】
この考案の下駄又は草履の和装用履物は、台１の周壁１ａに装着する装飾品７、８、９を、着脱自在且つ取替自在としたので、その日の気分や着物に応じた装飾品７、８、９を選択して装着し、一足で変化に富んだ多様な着用が可能である。また、下駄又は草履の台１は所定の厚みがあるので、装飾品７、８、９の装着に適し、台１の周壁１ａに装着した装飾品７、８、９は、周囲から容易に確認され、従来にないデザイン上のアクセントとなり、装飾性、ファッション性に優れ、強くアピールすることができる。装飾品７、８、９は、非着用時には取り外しておくことで汚れや損傷を防ぐことができ、長期の使用が可能である。
【００１０】
また、この発明の装飾品７、８、９の着脱手段としては、磁石、面テープ、ネジ止め等の任意の手段が適用可能であり、着脱手段として雌雄一対のホック５、６を用い、その一方を周壁１ａに埋設し、他方を装飾品７、８、９の背面に取り付けるようにすれば、装飾品７、８、９の着脱及び取替も容易に行うことができる。
【００１１】
また、この考案の装飾品７、８、９としては、石、玉、プレート、ブローチ等の一般的な装身具の他、非着用時に取り外しておけるので、女性用装身アクセサリとして代表的なコサージュやリボン等も適用可能である。これらの複数の装飾品７、８、９と下駄又は草履をセットで販売する他、装飾品７、８、９を単品として販売してもよく、様々な商品展開が可能である。
【図面の簡単な説明】
【００１２】
【図１】この考案の実施例の下駄の正面図。
【図２】平面図。
【図３】右側面図。
【図４】装飾品の着脱を説明するための平面図。
【図５】装飾品を取り外した状態の右側面図。
【図６】装飾品の（Ａ）正面図、（Ｂ）左側面図。
【図７】別の装飾品の（Ａ）正面図、（Ｂ）左側面図。
【図８】さらに別の装飾品の（Ａ）正面図、（Ｂ）左側面図。
【図９】この考案の実施例の草履の正面図。
【図１０】平面図。
【図１１】右側面図。
【考案を実施するための形態】
【００１３】
以下にこの考案の具体的な実施形態について、図面を用いて説明する。
図面はこの考案の実施例で、図１から５に下駄の実施例、図６から８に装飾品の実施例、図９から１１に草履の実施例を示す。図示の下駄は、足を載せる木製の台１の底面に接地用の二枚の歯２を設け、台１に開けた孔に鼻緒３を通した一般的なものである。台１の周壁１ａの後面に、雌雄一対のホックの雌ホック５が適宜の間隔で３個埋設されている。
【００１４】
装飾品７、８の背面には、雌雄一対のホックの雄ホック６が取り付けられ、雄ホック６を雌ホック５に嵌めて装飾品７、８が台１の周壁１ａに装着されている。図６に示す装飾品７は、適宜の意匠を施した金属製プレートで、図７に示す装飾品８は、適宜の彩色を施したガラス又は樹脂の玉であり、装飾品７を中央にして両脇に装飾品８を配している。図４に示すように、装飾品７、８は、台１の周壁１ａに着脱自在であるから、装飾品７、８の配置は任意に変更可能である。
【００１５】
図８に他の装飾品９の実施例を示す。装飾品９は、花をモチーフとしたコサージュであり、雌雄一対のホックの雄ホック６が同じく背面に取り付けられている。したがって、このコサージュは装飾品７、８と取替自在であるから、用途に応じて装飾品７、８、９を選択して装着し、一足の下駄で変化に富んだ多様な着用が可能である。
【００１６】
図９から１１に示す草履は、同じく台１の周壁１ａの後面に、雌雄一対のホックの雌ホック５を適宜の間隔で３個埋設し、これに雌ホック５に嵌め、装飾品９を中央にして両脇に装飾品８を配して台１の周壁１ａに装着したものである。この草履において、コサージュは傷み易いので、非着用時に取り外して保管し、さらに普段の着用にはコサージュに代えて他の装飾品を装着して着用することで、コサージュの損傷を防ぐことができる。
【００１７】
以上、図面の実施例について説明したが、この考案は、主たる用途は婦人用履物であるが、装飾品によっては紳士用履物にも適用可能である。また、装飾品７、８、９の装着箇所は台１の周壁１ａの後面に限られず、側面に装着するようにデザインしても面白く、装着する装飾品７、８、９の数は、台１の周壁１ａの真後ろ（ヒール部）に一つだけとデザインしたり、周壁１ａを回るように多数を装着するようにデザインしてもよい。さらに、この考案の装飾品としては、着脱手段を隠すだけの小片から豪華なものまで、様々な装身具や飾りが適用可能である。
【符号の説明】
【００１８】
１  台
１ａ  周壁
５、６  ホック
７、８、９  装飾品
【図１】
0003165227.tif 000003
【図２】
0003165227.tif 000004
【図３】
0003165227.tif 000005
【図４】
0003165227.tif 000006
【図５】
0003165227.tif 000007
【図６】
0003165227.tif 000008
【図７】
0003165227.tif 000009
【図８】
0003165227.tif 000010
【図９】
0003165227.tif 000011
【図１０】
0003165227.tif 000012
【図１１】
0003165227.tif 000013
【手続補正書】
【提出日】平成22年11月1日(2010.11.1)
【手続補正１】
【補正対象書類名】明細書
【補正対象項目名】全文
【補正方法】変更
【補正の内容】
【考案の詳細な説明】
【技術分野】
【０００１】
この考案は、和装に着用する下駄又は草履の和装用履物に関するものである。
【背景技術】
【０００２】
日本の伝統的な和装用履物として下駄と草履がある。下駄は、足を載せる木製の台の底面に接地用の歯を設け、台に３個開けた孔に鼻緒を通して形成される。草履は、厚みのある小判形に形成したコルクやウレタンの芯材を、革、布、ビニール等の表皮材で覆って足を載せる台を形成し、台の底面が接地を兼ね、同じく台に開けた孔に鼻緒を通して形成される。草履は下駄よりフォーマルであり、婦人用下駄では、台を草履型に形成した舟形下駄や右近下駄と称されるものもあり、これらの下駄は歯を持たず、形状は草履と酷似して素材が異なるのみである。
【０００３】
一方、従来の下駄や草履の意匠や装飾としては、台の表面に模様を施したり、鼻緒を特殊な素材で形成したりする手段が用いられている（特許文献１参照）。しかし、これらの装飾は、使い尽くされた手段であるからアピール度は弱く、その装飾も固定的で変化に乏しく、着物に合わせて何足かの下駄や草履を揃えなければならなかった。
【先行技術文献】
【特許文献】
【０００４】
【特許文献１】特開２００４−２６７４５７号公報
【考案の概要】
【考案が解決しようとする課題】
【０００５】
この考案は、装飾性、ファッション性に優れ、強くアピールすることができるとともに、その日の気分や着物に応じた多様な着用を可能とした下駄又は草履の和装用履物を提案することを目的とするものである。
【課題を解決するための手段】
【０００６】
上記の目的を達成するため、この考案は、足を載せる台１に開けた孔に鼻緒３を通して形成される下駄又は草履の和装用履物において、一対の着脱手段の一方を台１の周壁１ａに設け、他方を装飾品７、８、９の背面に取り付け、台１の周壁１ａに任意の数の装飾品７、８、９を装着するようにデザインし、装飾品７、８、９を着脱自在且つ取替自在としたことを特徴とするものである。
【０００７】
また、一対の着脱手段として雌雄一対のホック５、６を用い、その一方を周壁１ａに埋設し、他方を装飾品７、８、９の背面に取り付けるものである。
【０００８】
また、その他の一対の着脱手段としては、磁石、面テープ、ネジ止め（雌ネジと雄ネジ）等の手段が適用するものである。
【考案の効果】
【０００９】
この考案の下駄又は草履の和装用履物は、一対の着脱手段の一方を台１の周壁１ａに設け、他方を装飾品７、８、９の背面に取り付け、台１の周壁１ａに装着する装飾品７、８、９を、着脱自在且つ取替自在としたので、その日の気分や着物に応じた装飾品７、８、９を選択して装着し、一足で変化に富んだ多様な着用が可能である。また、下駄又は草履の台１は所定の厚みがあるので、装飾品７、８、９の装着に適し、台１の周壁１ａに装着した装飾品７、８、９は、周囲から容易に確認され、従来にないデザイン上のアクセントとなり、装飾性、ファッション性に優れ、強くアピールすることができる。装飾品７、８、９は、非着用時には取り外しておくことで汚れや損傷を防ぐことができ、長期の使用が可能である。
【００１０】
また、この考案の一対の着脱手段としては、磁石、面テープ、ネジ止め等の任意の手段が適用可能であり、着脱手段として雌雄一対のホック５、６を用い、その一方を周壁１ａに埋設し、他方を装飾品７、８、９の背面に取り付けるようにすれば、装飾品７、８、９の着脱及び取替も容易に行うことができる。
【００１１】
また、この考案の下駄又は草履の和装用履物の装飾品７、８、９としては、石、玉、プレート、ブローチ等の一般的な装身具の他、非着用時に取り外しておけるので、女性用装身アクセサリとして代表的なコサージュやリボン等も適用可能である。これらの複数の装飾品７、８、９と下駄又は草履をセットで販売する他、装飾品７、８、９を単品として販売してもよく、様々な商品展開が可能である。
【図面の簡単な説明】
【００１２】
【図１】この考案の実施例の下駄の正面図。
【図２】平面図。
【図３】右側面図。
【図４】装飾品の着脱を説明するための平面図。
【図５】装飾品を取り外した状態の右側面図。
【図６】装飾品の（Ａ）正面図、（Ｂ）左側面図。
【図７】別の装飾品の（Ａ）正面図、（Ｂ）左側面図。
【図８】さらに別の装飾品の（Ａ）正面図、（Ｂ）左側面図。
【図９】この考案の実施例の草履の正面図。
【図１０】平面図。
【図１１】右側面図。
【考案を実施するための形態】
【００１３】
以下にこの考案の具体的な実施形態について、図面を用いて説明する。
図面はこの考案の実施例で、図１から５に下駄の実施例、図６から８に装飾品の実施例、図９から１１に草履の実施例を示す。図示の下駄は、足を載せる木製の台１の底面に接地用の二枚の歯２を設け、台１に開けた孔に鼻緒３を通した一般的なものである。一対の着脱手段として雌雄一対のホック５、６が用いられ、台１の周壁１ａの後面に、雌雄一対のホックの雌ホック５が適宜の間隔で３個埋設されている。
【００１４】
装飾品７、８の背面には、雌雄一対のホックの雄ホック６が取り付けられ、雄ホック６を雌ホック５に嵌めて装飾品７、８が台１の周壁１ａに装着されている。図６に示す装飾品７は、適宜の意匠を施した金属製プレートで、図７に示す装飾品８は、適宜の彩色を施したガラス又は樹脂の玉であり、装飾品７を中央にして両脇に装飾品８を配している。図４に示すように、装飾品７、８は、台１の周壁１ａに着脱自在であるから、装飾品７、８の配置は任意に変更可能である。
【００１５】
図８に他の装飾品９の実施例を示す。装飾品９は、花をモチーフとしたコサージュであり、雌雄一対のホックの雄ホック６が同じく背面に取り付けられている。したがって、このコサージュは装飾品７、８と取替自在であるから、用途に応じて装飾品７、８、９を選択して装着し、一足の下駄で変化に富んだ多様な着用が可能である。
【００１６】
図９から１１に示す草履は、同じく台１の周壁１ａの後面に、雌雄一対のホックの雌ホック５を適宜の間隔で３個埋設し、これに雌ホック５に嵌め、装飾品９を中央にして両脇に装飾品８を配して台１の周壁１ａに装着したものである。この草履において、コサージュは傷み易いので、非着用時に取り外して保管し、さらに普段の着用にはコサージュに代えて他の装飾品を装着して着用することで、コサージュの損傷を防ぐことができる。
【００１７】
以上、図面の実施例について説明したが、この考案は、主たる用途は婦人用履物であるが、装飾品によっては紳士用履物にも適用可能である。また、装飾品７、８、９の装着箇所は台１の周壁１ａの後面に限られず、側面に装着するようにデザインしても面白く、装着する装飾品７、８、９の数は、台１の周壁１ａの真後ろ（ヒール部）に一つだけとデザインしたり、周壁１ａを回るように多数を装着するようにデザインしてもよい。さらに、この考案の下駄又は草履の和装用履物の装飾品としては、着脱手段を隠すだけの小片から豪華なものまで、様々な装身具や飾りが適用可能である。
【符号の説明】
【００１８】
１  台
１ａ  周壁
５、６  ホック
７、８、９  装飾品
【手続補正２】
【補正対象書類名】実用新案登録請求の範囲
【補正対象項目名】全文
【補正方法】変更
【補正の内容】
【実用新案登録請求の範囲】
【請求項１】
足を載せる台１に開けた孔に鼻緒３を通して形成される下駄又は草履の和装用履物において、
一対の着脱手段の一方を台１の周壁１ａに設け、他方を装飾品７、８、９の背面に取り付け、台１の周壁１ａに任意の数の装飾品７、８、９を装着するようにデザインし、装飾品７、８、９を着脱自在且つ取替自在としたことを特徴とした下駄又は草履の和装用履物。
【請求項２】
一対の着脱手段として雌雄一対のホック５、６を用い、その一方を周壁１ａに埋設し、他方を装飾品７、８、９の背面に取り付けた請求項１に記載の下駄又は草履の和装用履物。